(57)【要約】【課題】構造が簡単で、走行中に突然スピン等を起こさせ、コミカルに走行させることができる走行玩具を提供する。【解決手段】走行玩具１は、内部に動力装置１０が設けられた玩具本体２を有し、玩具本体２には、一対の車輪２１，２２が回動自在に設けられ、さらに前記動力装置１０によって回転させられる一対の駆動輪１３，１５が設けられ、一対の駆動輪１３，１５の一方１３が、他方の駆動輪１５及び一対の車輪２１，２２より、走行面に接触する接触面の摩擦抵抗が大きくなっている。一対の車輪２１，２２は、玩具本体２の前部に回動自在に設けられ、一対の駆動輪１３，１５は、玩具本体２の後部に設けられている。【選択図】        図１
2004154356.tif 000002
【特許請求の範囲】
【請求項１】
内部に動力装置が設けられた玩具本体を有し、玩具本体には、一対の車輪が回動自在に設けられ、さらに前記動力装置によって回転させられる一対の駆動輪が設けられ、一対の駆動輪の一方が、他方の駆動輪及び一対の車輪より、走行面に接触する接触面の摩擦抵抗が大きくなっていることを特徴とする走行玩具。
【請求項２】
一対の車輪は、玩具本体の前部に回動自在に設けられ、一対の駆動輪は、玩具本体の後部に設けられていることを特徴とする請求項１記載の走行玩具。
【請求項３】
他方の駆動輪及び一対の車輪は、走行面に接触する接触面の摩擦抵抗が同じであることを特徴とする請求項１又は２記載の走行玩具。
【請求項４】
動力装置は、ケースと、ケース内に設けられたゼンマイと、ゼンマイの弾性により回転する駆動軸と、ゼンマイの弾性の解放を規制し、駆動軸の回転を低速から高速に切り替えることができる切替手段とを備え、前記駆動軸の両側に駆動輪が設けられていることを特徴とする請求項１、２又は３記載の走行玩具。
【発明の詳細な説明】
【０００１】
【発明の属する技術分野】
本願発明は、内部に動力装置が設けられ、一対の車輪と、前記動力装置によって回転させられる一対の駆動輪とが設けられた走行玩具に関する。
【０００２】
【従来の技術】
従来の走行玩具は、内部にゼンマイ駆動ユニット（動力装置）が設けられた玩具本体を有し、玩具本体の前部に一対の車輪が回動自在に設けられ、玩具本体の後部に前記ゼンマイ駆動ユニットによって回転させられる一対の駆動輪が設けられている（例えば、特許文献１）。また、ゼンマイ駆動ユニットには、ゼンマイの弾性の解放を規制し、駆動軸の回転を低速から高速に切り替えることができる切替手段とを備えたものが存在する（例えば、特許文献２）。この種の走行玩具は、駆動輪を走行面に接触させ、後方向に移動させることにより、ゼンマイが巻き上げられ、この巻き上げられたゼンマイの弾性により、駆動輪が強制的に回転させられて、前方に走行するようになっている。なお、走行玩具は、前記ゼンマイ駆動ユニットの切替手段により、低速走行から高速走行に切り替えることができる。
【０００３】
【特許文献１】
実開昭６１−６５９９０号公報
【０００４】
【特許文献２】
実公平５−３０４７５号公報
【０００５】
【発明が解決しようとする課題】
上記従来の走行玩具は、一対の駆動輪及び一対の車輪が合成ゴム等によって形成されているため、一対の駆動輪及び一対の車輪の、走行面に接触する接触面の摩擦抵抗が同じであり、略真っ直ぐに走行し、これをコミカルに動かすためには複雑な内部機構が必要であるという問題点があった。
【０００６】
本願発明は、上記問題点に鑑み発明されたものであって、構造が簡単で、走行中に突然スピン等を起こさせ、コミカルに走行させることができる走行玩具を提供することを目的とする。
【０００７】
【課題を解決するための手段】
本願請求項１記載の走行玩具は、上記目的を達成するため、内部に動力装置が設けられた玩具本体を有し、玩具本体には、一対の車輪が回動自在に設けられ、さらに前記動力装置によって回転させられる一対の駆動輪が設けられ、一対の駆動輪の一方が、他方の駆動輪及び一対の車輪より、走行面に接触する接触面の摩擦抵抗が大きくなっている。
【０００８】
本願請求項２記載の走行玩具は、上記目的を達成するため、一対の車輪は、玩具本体の前部に回動自在に設けられ、一対の駆動輪は、玩具本体の後部に設けられている。
【０００９】
本願請求項３記載の走行玩具は、上記目的を達成するため、他方の駆動輪及び一対の車輪は、走行面に接触する接触面の摩擦抵抗が同じである。
【００１０】
本願請求項４記載の走行玩具は、上記目的を達成するため、動力装置は、ケースと、ケース内に設けられたゼンマイと、ゼンマイの弾性により回転する駆動軸と、ゼンマイの弾性の解放を規制し、駆動軸の回転を低速から高速に切り替えることができる切替手段とを備え、前記駆動軸の両側に駆動輪が設けられている。
【００１１】
【発明の実施の形態】
本願発明に係る走行玩具の実施の形態を、図１乃至図３に基づいて説明する。図１は、本願発明に係る走行玩具の一つの実施の形態を示す全体分解斜視図である。図２は、図１の走行玩具の組立斜視図である。図３は、図１の走行玩具の走行形態を説明する説明図である。
【００１２】
走行玩具１は、内部に動力装置１０が設けられた玩具本体２を有し、玩具本体２には、一対の車輪２１，２２が回動自在に設けられ、さらに前記動力装置１０によって回転させられる一対の駆動輪１３，１５が設けられ、一対の駆動輪１３，１５の一方の駆動輪１３が、他方の駆動輪１５及び一対の車輪２１，２２より、走行面に接触する接触面の摩擦抵抗が大きくなっている。一対の車輪２１，２２は、玩具本体２の前部に回動自在に設けられ、一対の駆動輪１３，１５は、玩具本体２の後部に設けられている。
【００１３】
他方の駆動輪１５及び一対の車輪２１，２２は、走行面に接触する接触面の摩擦抵抗が同じであっても構わない。動力装置１０は、ケース１１と、ケース１１内に設けられたゼンマイと、ゼンマイの弾性により回転する駆動軸１２と、ゼンマイの弾性の解放を規制し、駆動軸１２の回転を低速から高速に切り替えることができる切替手段とを備え、前記駆動軸１２の両側に駆動輪１３，１５が設けられている。
【００１４】
さらに走行玩具１について詳述する。玩具本体２は、車台３と、ボディー５とからなる。車台３は、合成樹脂によって一体形成され、後部に略Ｌ字状の係止突起６が形成され、前部に係止爪７が形成されている。ボディー５は、合成樹脂によって形成され、車台３にネジ等の固定手段８によって取り付けられている。この玩具本体２の内部には、動力装置１０が設けられている。
【００１５】
動力装置１０は、いわゆる公知のゼンマイ駆動ユニットであって、ケース１１と、ケース１１内に設けられた図示しないゼンマイと、ゼンマイの弾性により回転する駆動軸１２と、ゼンマイの弾性の解放を規制し、駆動軸１２の回転を低速から高速に切り替えることができる図示しない切替手段とを備え、前記駆動軸１２の両側に駆動輪１３，１５が固定して設けられている。
【００１６】
ケース１１は、前端下部に軸受け凹部１６が形成され、前端上部に係止段部１７が形成されている。また、ケース１１は、後端下部に係止縁１９が突設されている。ケース１１は、前記車台３上に載置され、係止縁１９が係止突起６に係止され、係止段部１７が係止爪７に着脱自在に係止されている。また、ケース１１の軸受け凹部１６と車台３の空間に車輪軸２０が回動自在に軸受けされ、この車輪軸２０の両側に車輪２１，２２が固定して取り付けられている。
【００１７】
一方の駆動輪１３は、摩擦抵抗の大きい素材、例えば合成ゴム、ウレタン等によって形成されている。他方の駆動輪１５及び車輪２１，２２は、摩擦抵抗の小さい素材、例えば合成樹脂等によって形成されている。
【００１８】
上記構成の走行玩具１は、玩具本体２を手で把持して、駆動輪１３，１５を走行面に押し付けながら後方に引くと、駆動軸１２を介して動力装置１０のゼンマイが巻き上げられる。手を離すと、ゼンマイの弾性が解放されるが、切替手段によってゼンマイの弾性の解放が規制されて、駆動軸１２の回転数が低く、低速走行する。その後切替手段によって駆動軸１２の回転数が高くなり、一気に高速走行に移行する。
【００１９】
走行玩具１は、摩擦抵抗の異なる駆動輪１３，１５によって走行し、駆動軸１２の回転数が低い時は、真っ直ぐに走るが、一気に高速走行に移行すると、摩擦抵抗の小さい駆動輪１５及び車輪２１，２２が走行面を滑って空転し、摩擦抵抗の大きい駆動輪１３が走行面を滑らずに回転するから、図３に示すようにスピンし、その後ゼンマイの弾性の解放に伴って低速走行に移行するので、又真っ直ぐに走行する。
【００２０】
このように、走行玩具１は、動力装置１０の駆動軸１２の回転数が低回転から高回転に急激に変化すると、スピン等のコミカルな動きをするが、走行面の状態によってもコミカルな動きをする。即ち、走行玩具１は、滑りにくい走行面にあっては、真っ直ぐに走行するが、滑りやすい走行面にあっては、摩擦抵抗の小さい駆動輪１５及び車輪２１，２２が走行面を滑るので、予測できない動きをする。また、動力装置１０の駆動軸１２の回転数が低回転から高回転に急激に変化すると、前側の車輪２１，２２が浮き上がり、あたかもコマのように、ウイリー状態でスピン等のコミカルな動きをする場合もあるが、車台３の下面に金属板等の重錘を貼り付けるように設け、車輪２１，２２が浮き上がらないようにしても構わないのは勿論である。
【００２１】
【発明の効果】
以上説明してきたように、本願請求項１に係る走行玩具は、内部に動力装置が設けられた玩具本体を有し、玩具本体には、一対の車輪が回動自在に設けられ、さらに前記動力装置によって回転させられる一対の駆動輪が設けられ、一対の駆動輪の一方が、他方の駆動輪及び一対の車輪より、走行面に接触する接触面の摩擦抵抗が大きくなっているので、真っ直ぐに走行せず、コミカルに動かすことが出来るという効果がある。また、コミカルに動かすための複雑な内部機構が必要でないので、構造が簡単で安価に製造することができるという効果もある。
【００２２】
本願請求項２に係る走行玩具は、上記効果に加え、一対の車輪が玩具本体の前部に回動自在に設けられ、一対の駆動輪が玩具本体の後部に設けられているので、スピンさせやすく、極めて興趣ある動きをさせることができるという効果がある。
【００２３】
本願請求項３に係る走行玩具は、上記効果に加え、他方の駆動輪及び一対の車輪が、走行面に接触する接触面の摩擦抵抗が同じであるので、製造が容易であるという効果がある。
【００２４】
本願請求項４に係る走行玩具は、上記効果に加え、動力装置は、ケースと、ケース内に設けられたゼンマイと、ゼンマイの弾性により回転する駆動軸と、ゼンマイの弾性の解放を規制し、駆動軸の回転を低速から高速に切り替えることができる切替手段とを備え、前記駆動軸の両側に駆動輪が設けられているので、駆動軸が低速から高速に切り替わる時、摩擦抵抗の小さい駆動輪及び車輪が走行面を滑って空転し、摩擦抵抗の大きい駆動輪が走行面を滑らずに回転して、玩具本体をスピンさせることになり、極めて興趣ある動きをさせることが出来るという効果がある。
【図面の簡単な説明】
【図１】本願発明に係る走行玩具の一つの実施の形態を示す全体分解斜視図である。
【図２】図１の走行玩具の組立斜視図である。
【図３】図１の走行玩具の走行形態を説明する説明図である。
【符号の説明】
１  走行玩具
２  玩具本体
３  車台
５  ボディー
６  係止突起
７  係止爪
８  固定手段
１０  動力装置（ゼンマイ駆動ユニット）
１１  ケース
１２  駆動軸
１３  駆動輪
１５  駆動輪
１６  軸受け凹部
１７  係止段部
１９  係止縁
２０  車輪軸
２１  車輪
２２  車輪
【図１】
2004154356.tif 000003
【図２】
2004154356.tif 000004
【図３】
2004154356.tif 000005